(57)【要約】【課題】  視聴はするが録画は必要がない番組を検出し、その番組を推奨した嗜好情報を、番組検索に用いないようにすることで、不要な番組を予約録画しないようにすること。【解決手段】  番組の視聴履歴などからユーザの嗜好を分析し、嗜好に一致する番組を推薦し予約録画する構成において、推薦し録画した番組が所定時間が経過するまでに再生されたか否かを管理して、再生されなかった場合には、当該録画番組の抽出に用いた嗜好情報を、以後の番組検索処理では排斥するデータとして取り扱う。【選択図】      図１
2006325012.tif 000002
【特許請求の範囲】
【請求項１】
ユーザの視聴操作指示と視聴している番組に付加された番組情報とからユーザの好む番組を示す嗜好情報を分析する嗜好分析処理手段と、該嗜好分析処理手段によって分析した嗜好情報と一致する番組情報を持つ番組を検索する推奨番組抽出手段と、該推奨番組抽出手段によって抽出された番組を予約し録画する推奨番組録画手段と、該推奨番組録画手段によって録画された番組の再生を管理する録画番組再生管理手段とを、備えた録画再生装置における録画番組選択支援方法であって、
前記録画番組再生管理手段は、前記推奨番組録画手段によって録画された録画番組が所定時間が経過するまでに再生されたか否かを管理して、再生されなかった場合には、当該録画番組の抽出に用いた嗜好情報を、前記嗜好分析処理手段へ通知し、
前記嗜好分析処理手段は、前記録画番組再生管理手段から通知された嗜好情報については、前記推奨番組抽出手段に通知しないことを特徴とする録画番組選択支援方法。
【請求項２】
請求項１に記載の録画番組選択支援方法において、
前記録画番組再生管理手段は、録画番組の再生回数を管理して、録画番組の再生回数とその嗜好情報を前記嗜好分析処理手段へ通知し、
前記嗜好分析処理手段は、前記録画番組再生管理手段から通知された再生回数をも用いた、嗜好情報の分析処理を行うことを特徴とする録画番組選択支援方法。
【請求項３】
請求項１または２に記載の録画番組選択支援方法において、
前記録画番組再生管理手段は、録画番組の再生操作指示を管理して、その再生指示形態とその嗜好情報を前記嗜好分析処理手段へ通知し、
前記嗜好分析処理手段は、前記録画番組再生管理手段から通知された再生指示形態をも用いた、嗜好情報の分析処理を行うことを特徴とする録画番組選択支援方法。
【請求項４】
ユーザの視聴操作指示と視聴している番組に付加された番組情報とからユーザの好む番組を示す嗜好情報を分析する嗜好分析処理手段と、該嗜好分析処理手段によって分析した嗜好情報と一致する番組情報を持つ番組を検索する推奨番組抽出手段と、該推奨番組抽出手段によって抽出された番組を予約し録画する推奨番組録画手段と、該推奨番組録画手段によって録画された番組の再生を管理する録画番組再生管理手段とを、備えた録画再生装置における録画番組選択支援方法であって、
前記録画番組再生管理手段は、前記推奨番組録画手段によって録画された録画番組が所定時間が経過するまでに再生されたか否かを管理して、再生されなかった場合には、当該録画番組の抽出に用いた嗜好情報を、前記推奨番組抽出手段へ通知し、
前記推奨番組抽出手段は、前記録画番組再生管理手段から通知された嗜好情報を、以後の番組検索処理には使用しないことを特徴とする録画番組選択支援方法。
【請求項５】
ユーザの視聴操作指示と視聴している番組に付加された番組情報とからユーザの好む番組を示す嗜好情報を分析する嗜好分析処理手段と、該嗜好分析処理手段によって分析した嗜好情報と一致する番組情報を持つ番組を検索する推奨番組抽出手段と、該推奨番組抽出手段によって抽出された番組を予約し録画する推奨番組録画手段と、該推奨番組録画手段によって録画された番組の再生を管理する録画番組再生管理手段とを、備えた録画再生装置であって、
前記録画番組再生管理手段は、前記推奨番組録画手段によって録画された録画番組が所定時間が経過するまでに再生されたか否かを管理して、再生されなかった場合には、当該録画番組の抽出に用いた嗜好情報を、以後の番組検索処理では排斥するデータとして取り扱うように、前記嗜好分析処理手段または前記推奨番組抽出手段へ通知することを特徴とする録画再生装置。
【発明の詳細な説明】
【技術分野】
【０００１】
本発明は、膨大な放送番組から番組を選択・記録・再生することを支援する技術に係り、特に、視聴者の嗜好傾向を把握して番組を選択・記録・再生するのに好適な方法および装置に関する。
【背景技術】
【０００２】
近年、放送のデジタル化により多チャンネル放送が普及しており、これまでの新聞などのテレビ番組表から番組を選択して視聴する方法以外に、放送に多重されるＥＰＧ（Electronic Program Guide）情報からテレビ画面上にＯＳＤ（On Screen Display）表示により番組表（以下、ＥＰＧと記す）を表示し、そのＥＰＧから選択する方法もよく用いられるようになっている。これにより、新聞や雑誌などの他メディアを用いずに、テレビのみで番組を選択したり、予約録画登録を行ったりすることが可能となった。しかし、逆に多チャンネルであり、かつ、ＥＰＧで認識できる番組表示数には限りがあるため、好みの番組を探し出すことが困難になっている。
【０００３】
これを解決する手法として、視聴した番組のＥＰＧ情報をもとにして視聴者の視聴傾向を分析し、視聴傾向が高いと判断されたジャンルの番組や特定の出演者が出演している番組を、ＥＰＧ情報内の放送予定番組から探し出して提示、あるいは予約録画する装置が、特開２０００−１３７０８号公報に記載されている。
【特許文献１】特開２０００−１３７０８号公報
【発明の開示】
【発明が解決しようとする課題】
【０００４】
前記特許文献１に示されたような方法は、視聴者の嗜好に合った番組をＥＰＧ情報から検索して一覧表示することや、これを利用して予約録画を行うことができるので、有用である。
【０００５】
しかしながら、このような方法では当然ながら、視聴傾向が高いと判断する嗜好情報は、よく視聴する番組に付加された情報（例えば、ジャンル、出演者など）になる。よく視聴する番組の例として、ニュース番組が考えられる。しかし、ニュース番組は、よく視聴はするが、録画は必要がないことも考えられる。さらに、ニュース番組は沢山放送されているため、沢山録画されてしまい、例えばハードディスクレコーダなどではニュース番組で一杯になってしまうことも考えられる。これまでの方法では、視聴はするが録画は必要がない番組の取り扱いについては考慮されておらず、不要な録画番組が蓄積されると言う課題がある。
【０００６】
そこで、本発明の目的は、視聴はするが録画は必要がない番組を検出し、その番組を推奨した嗜好情報を、番組検索に用いないようにすることで、不要な番組を予約録画しないようにすることができる、方法および装置を提供することにある。
【課題を解決するための手段】
【０００７】
本発明は、上記した目的を達成するため、ユーザの視聴操作指示と視聴している番組に付加された番組情報とからユーザの好む番組を示す嗜好情報を分析する嗜好分析処理手段と、該嗜好分析処理手段によって分析した嗜好情報と一致する番組情報を持つ番組を検索する推奨番組抽出手段と、該推奨番組抽出手段によって抽出された番組を予約し録画する推奨番組録画手段と、該推奨番組録画手段によって録画された番組の再生を管理する録画番組再生管理手段とを、備えた録画再生装置において、
前記録画番組再生管理手段は、前記推奨番組録画手段によって録画された録画番組が所定時間が経過するまでに再生されたか否かを管理して、再生されなかった場合には、当該録画番組の抽出に用いた嗜好情報を、以後の番組検索処理では排斥するデータとして取り扱うように、前記嗜好分析処理手段または前記推奨番組抽出手段へ通知する。
【発明の効果】
【０００８】
本発明によれば、推奨され録画された番組が所定時間内に再生されなかった場合には、再生されなかった推奨録画番組の検索に用いた嗜好情報は不要と判断できるので、その番組を推奨した嗜好情報を予約番組の検索対象情報から外すことで、視聴者が所望する番組だけを予約録画することができる。
【発明を実施するための最良の形態】
【０００９】
以下、本発明の実施の形態を、図面を用いて説明する。
【００１０】
図１は、本発明の第１実施形態に係る録画再生装置の機能構成を示すブロック図である。図１において、１０１はユーザ操作取得部であり、リモコンなどによるユーザの操作情報を取得し、処理する。１０２はＥＰＧ情報取得部であり、例えばデジタル放送では多重されて送られてくる一週間分の番組情報であって、これに含まれる番組名、ジャンル、出演者などの番組情報を取得する。なお、ＥＰＧ情報はインターネットを利用して取得するようにしてもよい。１０３は視聴履歴処理部であり、ユーザ操作取得部１０１で取得した番組視聴操作と、ＥＰＧ情報取得部１０２で取得した番組情報とから、視聴実時間のデータとともに、その視聴番組の番組名、チャンネル、ジャンル、出演者名や名詞などのキーワードという、番組の特徴を表す番組特徴情報を抽出する。
【００１１】
１０４は嗜好分析処理部であり、視聴履歴処理部１０３で抽出した視聴実時間および番組特徴情報と、嗜好情報保持部１０５で保持しているこれまでの嗜好傾向から抽出した嗜好情報とを用い、よく視聴する嗜好傾向の高い番組特徴情報を判定・抽出して、抽出した番組特徴情報のジャンルやキーワードなどについての嗜好度（ユーザの好みの度合い）を分析し、ジャンルやキーワードなどと、これに対応付けた嗜好度とからなる、嗜好情報を生成する。この嗜好分析処理部１０４による嗜好分析の処理には、例えばファジィ理論（ファジィ推論）を用いて、ある番組を最初から最後まで視聴したかや、ある番組を全体時間のうちどの程度だけ視聴したかや、ある番組の視聴途中で選局切り替えされた番組であるかなどの情報を加味して、その番組の番組特徴情報と、この番組特徴情報を含む過去の嗜好情報がある場合にはこの過去の嗜好情報とにより、新たな嗜好情報を生成する。なお、嗜好分析処理部１０４が嗜好分析の処理に用いるための入力ファクターは上記以外にも任意のものを用いることが可能で、また、嗜好分析処理部１０４が処理に用いる手法は、ファジィ理論以外にも、ニューラルネットワーク理論、遺伝的アルゴリズム、カオス理論、学習理論などを用いることができる。１０５は嗜好情報保持部であり、嗜好分析処理部１０４で分析・生成した嗜好情報を更新保持もしくは新たに保持する。
【００１２】
１０６は推奨番組抽出部であり、嗜好分析処理部１０４からの嗜好情報を用い、嗜好度の高い情報（ジャンルやキーワードなどの情報）と番組特徴情報とが合致する番組を、ＥＰＧ情報取得部１０２で取得した番組情報から抽出し、その合致した番組を推奨番組として推奨番組録画部１０７に渡す。１０７は推奨番組録画部であり、推奨番組抽出部１０６から渡された番組情報から、該当する番組を原則的に全て自動的に録画する。ただし、ユーザが予約録画した番組の放送時間帯と、推奨番組とされた番組の放送時間帯とが重なる場合には、図示せぬユーザ予約番組録画部による予約録画の実行を優先させる。
【００１３】
１０８は録画番組再生管理部であり、推奨して録画した録画番組が所定時間が経過するまでに再生されたか否かを管理して、再生されなかった場合には、当該録画番組の抽出に用いた嗜好情報を、嗜好分析処理手段１０４へ通知する（以後の分析処理には使用しない排斥するデータとして取り扱うように当該嗜好情報を通知する）。なお、録画番組再生管理部が判定する上記の所定時間とは、例えば１週間〜１０日程度など、推奨して録画した録画番組をユーザが再生する気がないと判断できる時間であり、任意に設定可能な時間である。
【００１４】
１１０はシステム制御部であり、図示をしない他のデジタル放送受信処理系なども含め、録画再生装置の各部を制御する。
【００１５】
次に、本第１実施形態の動作を説明する。ユーザ操作取得部１０１は、リモコンなどでユーザが行った選局やＥＰＧ表示などの操作情報を取得する。取得した操作情報が選局などの番組視聴に関する場合、ユーザ操作取得部１０１は、その操作情報を視聴履歴処理部１０３へ通知する。ＥＰＧ情報取得部１０２は、例えばデジタル放送の場合、番組と同時に放送されるＥＰＧ情報を取得する。ＥＰＧ情報には、番組ごとに開始時間や番組の長さ、番組名、番組内容説明、出演者名、ジャンルなどがあり、チャンネルごとに当日を含めて８日先までの情報がある。
【００１６】
視聴履歴処理部１０３は、ユーザ操作取得部１０１からの番組視聴に関する操作情報を受け、その視聴している番組の番組情報を、ＥＰＧ情報取得部１０２より取得する。視聴履歴処理部１０３は、取得した番組の番組名や、チャンネルや、ジャンルや、番組名や番組内容説明に含まれる出演者名や名詞などのキーワードと、その番組の視聴実時間とからなる、視聴履歴情報を作成し、これを嗜好分析処理部１０４へ通知する。
【００１７】
嗜好分析処理部１０４は、視聴履歴処理部１０３から通知された視聴履歴情報（ジャンルやキーワードなどの番組特徴情報、および、視聴実時間）と、嗜好情報保持部１０５で保持しているこれまでの嗜好傾向から抽出した嗜好情報とを用い、抽出された番組特徴情報中のジャンルやキーワードなどについての嗜好度（ユーザの好みの度合い）を分析し、どのようなジャンルやキーワードの番組をよく視聴しているかなど、ユーザの視聴の嗜好傾向を分析する。このように、過去の嗜好度を反映しつつ、新たな視聴履歴からジャンルやキーワードなどについての嗜好度を分析し、分析結果から、ジャンルやキーワードなどについての新たな嗜好度を算出して、ジャンルやキーワードなどと、これに対応付けた嗜好度とからなる、新たな嗜好情報を生成する。
【００１８】
この新たな嗜好情報は、嗜好情報保持部１０５へ通知され、嗜好情報保持部１０５は、嗜好分析処理部１０４から通知された嗜好情報を更新保持または新たに保持する。また、嗜好分析処理部１０４は、嗜好度の高い嗜好情報のジャンルやキーワードなどの情報を、推奨番組抽出部１０６へ通知する。
【００１９】
推奨番組抽出部１０６は、嗜好分析処理部１０４から通知されたユーザが好む嗜好情報をもとにして、ＥＰＧ情報取得部１０２で取得した番組情報の中から、そのユーザが好む嗜好度の高い情報（ジャンルやキーワードなどの情報）に合致する番組を検索し、推奨番組として推奨番組録画部１０７へ通知する。
【００２０】
推奨番組録画部１０７は、通知された番組を予約・録画すると同時に、その推奨情報としての嗜好情報（ジャンルやキーワードなどの情報）も番組に関連付けて記録する。
【００２１】
一方、録画番組再生管理部１０８は、ユーザ操作取得部１０１からの録画番組再生に関する操作情報を受け、推奨して予約録画した番組が所定時間が経過するまでに再生されたか否かを管理する。そして、録画番組再生管理部１０８は、推奨して予約録画した番組が所定時間が経過するまでに再生されなかった場合には、その番組に関連付けされ記録された嗜好情報を、嗜好分析処理部１０４へ通知する。これを受けて、嗜好分析処理部１０４は、嗜好度が高いと判定した番組の嗜好情報（推奨情報）を推奨番組抽出部１０６へ通知する際に、録画番組再生管理部１０８から通知された嗜好情報と合致する嗜好情報については、推奨番組抽出部１０６には通知しないようにする。これによって、推奨番組抽出部１０６は再生される番組のみ検索できるので、よく視聴はするが、録画の必要のない番組を録画しないようにすることが可能となる。
【００２２】
以上のように、本第１実施形態によれば、ユーザが視聴している番組につけられた番組情報を用い、視聴履歴からユーザの好む（ユーザの嗜好度の高い）番組につけられたジャンル、あるいは、番組名や番組内容説明に含まれる出演者名や名詞などのキーワードと、一致する番組を自動的に推奨して予約録画し、一方、推奨して予約録画した番組が所定時間内に再生されなかった場合には、その番組はリアルタイムの視聴のみが目的である番組と判断して、推奨番組として予約録画しないようにすることができるので、再生しない番組を録画することを防止できる。
【００２３】
次に、本発明の第２実施形態について説明する。図２は、本発明の第２実施形態に係る録画再生装置の機能構成を示すブロック図であり、同図において、図１の第１実施形態と同一の構成要素には同一符号を付し、その説明は重複を避けるため割愛する。
【００２４】
図２において、１０４’は、図１の前記嗜好分析処理部１０４に対応する嗜好分析処理部、１０６’は、図１の前記推奨番組抽出部１０６に対応する推奨番組抽出部である。本第２実施形態の構成要素は、図１の第１実施形態と基本的に同様であり、本第２実施形態が前記第１実施形態と異なるのは、録画番組再生管理部１０８が、推奨して予約録画した番組が所定時間が経過するまでに再生されなかった場合には、その番組に関連付けされ記録された嗜好情報を、推奨番組抽出部１０６’へ通知し、嗜好分析処理部１０４’は、嗜好度が高いと判定した番組の嗜好情報（推奨情報）を、全て推奨番組抽出部１０６’へ通知し、推奨番組抽出部１０６’は、嗜好分析処理部１０４’から通知された嗜好情報の中で録画番組再生管理部１０８から通知された嗜好情報と一致する嗜好情報については、推奨番組の検索処理（抽出処理）には用いないようにしたことにある。
【００２５】
このような構成と動作をとる本第２実施形態においても、ユーザが視聴している番組につけられた番組情報を用い、視聴履歴からユーザの好む（ユーザの嗜好度の高い）番組につけられたジャンル、あるいは、番組名や番組内容説明に含まれる出演者名や名詞などのキーワードと、一致する番組を自動的に推奨して予約録画し、一方、推奨して予約録画した番組が所定時間内に再生されなかった場合には、その番組はリアルタイムの視聴のみが目的である番組と判断して、推奨番組として予約録画しないようにすることができるので、再生しない番組を録画することを防止できる。
【００２６】
次に、本発明の第３実施形態について説明する。図３は、本発明の第３実施形態に係る録画再生装置の機能構成を示すブロック図であり、同図において、図１の第１実施形態と同一の構成要素には同一符号を付し、その説明は重複を避けるため割愛する。
【００２７】
図３において、１０４"は、図１の前記嗜好分析処理部１０４に対応する嗜好分析処理部、１０８’は、図１の前記録画番組再生管理部１０８に対応する録画番組再生管理部である。本第３実施形態の構成要素は、図１の第１実施形態と基本的に同様であり、本第３実施形態が前記第１実施形態と異なるのは、録画番組再生管理部１０８’が、推奨して予約録画した番組が所定時間が経過するまでに再生されなかった場合には、その番組に関連付けされ記録された嗜好情報を嗜好分析処理部１０４"に通知すると共に、推奨して予約録画した番組の再生回数を管理して、推奨して予約録画した番組の再生回数とその嗜好情報とを併せて嗜好分析処理部１０４"に通知し、嗜好分析処理部１０４"は、視聴履歴処理部１０３からの視聴履歴情報および嗜好情報保持部１０５に格納された過去の嗜好情報のみではなく、録画番組再生管理部１０８’から通知された再生回数の情報も併せて用いて、嗜好分析の処理と新たな嗜好情報の生成とを行うようにした点にある。つまり、本第３実施形態では、嗜好分析処理部１０４"は、録画番組再生管理部１０８’からの嗜好情報についての再生回数をも入力ファクターの１つとして嗜好分析の処理を行い、例えば、再生回数が０回であれば嗜好度を低く、再生回数が１回であれば嗜好度はそのまま、再生回数が２回以上で回数が増すほど嗜好度が高いとして分析処理を行い、嗜好情報を生成する。
【００２８】
このような構成と動作をとる本第３実施形態においても、ユーザが視聴している番組につけられた番組情報を用い、視聴履歴からユーザの好む（ユーザの嗜好度の高い）番組につけられたジャンル、あるいは、番組名や番組内容説明に含まれる出演者名や名詞などのキーワードと、一致する番組を自動的に推奨して予約録画し、一方、推奨して予約録画した番組が所定時間内に再生されなかった場合には、その番組はリアルタイムの視聴のみが目的である番組と判断して、推奨番組として予約録画しないようにすることができるので、再生しない番組を録画することを防止できる。
【００２９】
さらに、本第３実施形態では、推奨して予約録画した番組の再生回数も、嗜好分析の処理に用いているので、何度も再生して見る番組の嗜好情報の嗜好度が高く評価されることとなって、ユーザの嗜好に合致した嗜好情報を得ることが可能となる。
【００３０】
また、図示はしないが、録画番組再生管理部１０８’が、より詳細な再生状態を管理するようにして、例えば、番組の最初から最後まで再生したのか、早送りを多用して飛ばし見をしたのかなど、ユーザの再生指示形態を管理し、この再生指示形態の情報をも、嗜好分析処理部１０４"における嗜好分析の処理に用いるようにすることで、例えば、一度飛ばし見をし、それ以降の同じ嗜好情報の録画番組を再生していない場合には、嗜好情報として不要と判定できるので、よりユーザの嗜好に合致した嗜好情報を得ることが可能となる。
【００３１】
なおまた、上述した各実施形態では、ユーザが予約録画したことを、嗜好分析処理部における嗜好分析の処理には反映させてはいないが、ユーザがわざわざ予約録画の操作を行って録画する番組は、嗜好度が高いと考えられるので、このユーザによる予約録画の番組の番組情報から抽出されるジャンルやキーワードなどは、高い嗜好度を持たせて嗜好情報を生成するようにして、嗜好分析処理部における嗜好分析の処理にユーザの予約録画を反映させるようにしてもよいことは、言うまでもない。
【図面の簡単な説明】
【００３２】
【図１】本発明の第１実施形態に係る録画再生装置の機能構成を示すブロック図である。
【図２】本発明の第２実施形態に係る録画再生装置の機能構成を示すブロック図である。
【図３】本発明の第３実施形態に係る録画再生装置の機能構成を示すブロック図である。
【符号の説明】
【００３３】
１０１    ユーザ操作取得部
１０２    ＥＰＧ情報取得部
１０３    視聴履歴処理部
１０４、１０４’、１０４"    嗜好分析処理部
１０５    嗜好情報保持部
１０６、１０６’  推奨番組抽出部
１０７    推奨番組録画部
１０８、１０８’  録画番組再生管理部
１１０    システム制御部
【図１】
2006325012.tif 000003
【図２】
2006325012.tif 000004
【図３】
2006325012.tif 000005